(57)【特許請求の範囲】
【請求項１】
第一鋏体(10)と、
第二鋏体(20)と、
前記第一鋏体(10)と前記第二鋏体(20)とを互いに回転自在に連結する回転軸(30)と
を備え、
前記第一鋏体(10)と前記第二鋏体(20)との間に毛髪を挟み込んで切断可能とした理美容鋏において、
前記第一鋏体(10)は、
前記回転軸(30)よりも先端側に位置する第一刃部(11)と、
前記回転軸(30)よりも手元側に位置する第一指環(17)を有する第一柄部(15)と
を備える細長い部材であって、前記第一柄部(15)が前記回転軸(30)よりも前記第一刃部(11)側に折り返された形状で固定されており、
前記第二鋏体(20)は、
前記回転軸(30)よりも先端側に位置する第二刃部(21)と、
前記回転軸(30)よりも手元側に位置する第二指環(27)を有する第二柄部(25)と
を備える細長い部材であって、前記第二柄部(25)が前記回転軸(30)よりも前記第二刃部(21)側に折り返された形状で固定されていることを特徴とする理美容鋏。
【請求項２】
前記第一鋏体(10)及び前記第二鋏体(20)は、略Ｕ字状に折り曲げられた形状であることを特徴とする請求項１記載の理美容鋏。
【請求項３】
前記第一鋏体(10)は、上方からみたときに前記第一柄部(15)が前記第一刃部(11)と略平行に延在するように折り返された形状であり、
前記第二鋏体(20)は、上方からみたときに前記第二柄部(25)が前記第二刃部(21)と略平行に延在するように折り返された形状であることを特徴とする請求項１又は２記載の理美容鋏。
【請求項４】
第一鋏体(10)と、
第二鋏体(20)と、
前記第一鋏体(10)と前記第二鋏体(20)とを互いに回転自在に連結する回転軸(30)と
を備え、
前記第一鋏体(10)と前記第二鋏体(20)との間に毛髪を挟み込んで切断可能とした理美容鋏において、
前記第一鋏体(10)は、
前記回転軸(30)よりも先端側に位置する第一刃部(11)と、
前記回転軸(30)よりも手元側に位置する第一指環(17)を有する第一柄部(15)と
を備える細長い部材であって、前記第一柄部(15)が前記回転軸(30)よりも前記第一刃部(11)側に折り返された形状をしており、
前記第二鋏体(20)は、
前記回転軸(30)よりも先端側に位置する第二刃部(21)と、
前記回転軸(30)よりも手元側に位置する第二指環(27)を有する第二柄部(25)と
を備える細長い部材であって、前記第二指環(27)が前記回転軸(30)よりも前記第二刃部(21)側に折り返された形状をしており、
前記第一刃部(11)及び前記第二刃部(21)との間の相対的な反りを調整するための傾斜角調整部材(40)を、さらに備えることを特徴とする理美容鋏。
【請求項５】
第一鋏体(10)と、
第二鋏体(20)と、
前記第一鋏体(10)と前記第二鋏体(20)とを互いに回転自在に連結する回転軸(30)と
を備え、
前記第一鋏体(10)と前記第二鋏体(20)との間に毛髪を挟み込んで切断可能とした理美容鋏において、
前記第一鋏体(10)は、
前記回転軸(30)よりも先端側に位置する第一刃部(11)と、
前記回転軸(30)よりも手元側に位置する第一指環(17)を有する第一柄部(15)と
を備える細長い部材であり、
前記第二鋏体(20)は、
前記回転軸(30)よりも先端側に位置する第二刃部(21)と、
前記回転軸(30)よりも手元側に位置する第二指環(27)を有する第二柄部(25)と
を備える細長い部材であり、
前記第一刃部(11)又は前記第二刃部(21)との間の相対的な反りを調整可能な傾斜角調整部材(40)を備えることを特徴とする理美容鋏。
【請求項６】
前記傾斜角調整部材(40)は、前記回転軸(30)によって軸支されると共に、
前記第一鋏体(10)に一部が固定された状態で重畳設置される第一傾斜板(41)と、
前記第一傾斜板(41)に形成されたネジ穴にねじ込まれて設置されると共に、その先端が前記第一鋏体(10)に当接可能に設置された調整ネジ(43)と
を備え、
前記調整ネジ(43)のねじ送り量を調整することで、前記第一刃部(11)の反りを調整可能としてなることを特徴とする請求項４又は５記載の理美容鋏。
【請求項７】
前記傾斜角調整部材(40)はさらに、前記第一刃部(11)及び前記第二刃部(21)との間の相対的な捻りを調整可能としてなることを特徴とする請求項４乃至６のいずれか一に記載の理美容鋏。
【請求項８】
前記第二柄部(25)は、少なくとも部分的に湾曲された第二湾曲部(25')を有することを特徴とする請求項１乃至７のいずれか一に記載の理美容鋏。
【請求項９】
前記第一柄部(15)は、湾曲された第一湾曲部を有することを特徴とする請求項１乃至８のいずれか一に記載の理美容鋏。
【請求項１０】
前記第一指環(17)又は第二指環(27)の少なくともいずれかを着脱式にしてなることを特徴とする請求項１乃至９のいずれか一に記載の理美容鋏。
【発明の詳細な説明】
【技術分野】
【０００１】
本発明は、髪の毛をカットする際に使用される理美容鋏に関する。
【背景技術】
【０００２】
従来から種々の理美容鋏が提供されており、例えば、下記特許文献１〜３に開示されたような理美容鋏が知られている。
【０００３】
一方、最近の理美容業界では、ファッションの移ろいに応じて種々のヘアスタイルが創造されており、また個人の嗜好も多様であるため要求されるヘアスタイルは幅広い。これに応じてヘアカット技術を向上すべくその追求も盛んである。加えて、ヘアスタイルの完成過程をショー的に公開して、カット技術自体を芸術的に見せる工夫もなされている。
【０００４】
例えば、従来の鋏の握り方を変え、鋏の刃を素早く開閉してカットのスピードを速めたり、或いは毛に対する刃の切り込み角度を様々に変化させたりするなど、斬新なカット法も公開されている。
【０００５】
また、髪が乾いた状態でカットを行うドライカットと呼ばれる手法も着目されているが、ドライカットでは髪が傷みやすいため、ドライカットを行う際には、いわゆる引き切りと呼ばれる鋏を引きながらカットを行う手法が求められている。
【先行技術文献】
【特許文献】
【０００６】
【特許文献１】特許第４８８９７０１号公報
【特許文献２】実開平５−１４６３号公報
【特許文献３】実用新案登録第３０３２３９５号公報
【発明の概要】
【発明が解決しようとする課題】
【０００７】
しかし、引き切りを行う場合には、使い手は、常に手を引きながらカットを行う必要があるため、手への負担が大きいといった問題があった。
【０００８】
本発明は、このような課題に鑑みてなされたものであり、引き切りを行う際に使い手の負担を大きく軽減することのできる理美容鋏を提供することを目的とする。
【課題を解決するための手段】
【０００９】
上記課題を解決するために、本発明に係る理美容鋏は、第一鋏体と、第二鋏体と、前記第一鋏体と前記第二鋏体とを互いに回転自在に連結する回転軸とを備える。この理美容鋏は、前記第一鋏体と前記第二鋏体との間に毛髪を挟み込んで切断可能としている。前記第一鋏体は、前記回転軸よりも先端側に位置する第一刃部と、前記回転軸よりも手元側に位置する第一指環を有する第一柄部とを備える細長い部材であって、前記第一柄部が前記回転軸よりも前記第一刃部側に折り返された形状で固定されている。また前記第二鋏体は、前記回転軸よりも先端側に位置する第二刃部と、前記回転軸よりも手元側に位置する第二指環を有する第二柄部と、を備える細長い部材であって、前記第二柄部が前記回転軸よりも前記第二刃部側に折り返された形状で固定されている。
【００１０】
また、本発明に係る理美容鋏は、第一鋏体と、第二鋏体と、前記第一鋏体と前記第二鋏体とを互いに回転自在に連結する回転軸と、を備え、前記第一鋏体と前記第二鋏体との間に毛髪を挟み込んで切断する理美容鋏において、前記第一鋏体は、前記回転軸よりも先端側に位置する第一刃部と、前記回転軸よりも手元側に位置する第一指環を有する第一柄部と、を備える細長い部材であり、前記第二鋏体は、前記回転軸よりも先端側に位置する第二刃部と、前記回転軸よりも手元側に位置する第二指環を有する第二柄部と、を備える細長い部材であり、前記第一刃部又は前記第二刃部との間の相対的な反りを調整するための傾斜角調整部材を備えることができる。
【発明の効果】
【００１１】
本発明に係る理美容鋏によれば、鋏を閉じる動作により回転軸が毛髪から遠ざかる方向に移動するため、引き切りを行う際の使い手の手への負担を大きく低減させることができる。
【図面の簡単な説明】
【００１２】
【図１】第一実施形態に係る理美容鋏の開いた状態の斜視図である。
【図２】第一実施形態に係る理美容鋏の閉じた状態の平面図である。
【図３】第一実施形態に係る理美容鋏の閉じた状態の正面図である。
【図４】第一実施形態に係る理美容鋏の閉じた状態の右側面図である。
【図５】第一実施形態に係る理美容鋏の閉じた状態の左側面図である。
【図６】第一実施形態に係る理美容鋏の閉じた状態の底面図である。
【図７】第一実施形態に係る理美容鋏の閉じた状態の背面図である。
【図８】従来の理美容鋏により毛髪をカットする際の作用を説明するための上面模式図である。
【図９】第一実施形態に係る理美容鋏により毛髪をカットする際の作用を説明するための上面模式図である。
【図１０】第二実施形態に係る傾斜角調整部材の拡大正面図である。
【図１１】第二実施形態に係る傾斜角調整部材の拡大平面図である。
【図１２】第二実施形態の変形例１に係る傾斜角調整部材の拡大平面図である。
【図１３】第一実施形態に係る理美容鋏の使用状態を示す図である。
【図１４】変形例に係る回転軸を示す断面図である。
【図１５】第二実施形態に係る理美容鋏を示す斜視図である。
【図１６】変形例に係る回転軸を示す断面図である。
【図１７】他の変形例に係る回転軸を示す断面図である。
【図１８】他の変形例に係る回転軸を示す断面図である。
【図１９】第三実施形態に係る理美容鋏の開いた状態の平面図である。
【図２０】第三実施形態に係る理美容鋏を逆手で使用する状態を示す図である。
【図２１】第三実施形態に係る理美容鋏を順手で使用する状態を示す図である。
【発明を実施するための形態】
【００１３】
以下、本発明の実施の形態を図面に基づいて説明する。ただし、以下に示す実施の形態は、本発明の技術思想を具体化するための、理美容鋏を例示するものであって、本発明は、理美容鋏を以下のものに特定しない。さらに、本明細書は、特許請求の範囲を理解しやすいように、実施例に示される部材に対応する番号を、「特許請求の範囲」、及び「課題を解決するための手段の欄」に示される部材に付記している。ただ、特許請求の範囲に示される部材を、実施例の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（第一実施形態）
【００１４】
以下、図面を参照しながら、本発明の第一実施形態に係る理美容鋏１００について説明する。図１は、第一実施形態に係る理美容鋏１００の開いた状態の斜視図である。図２は、第一実施形態に係る理美容鋏１００の閉じた状態の平面図である。図３は、第一実施形態に係る理美容鋏１００の閉じた状態の正面図である。
【００１５】
図４は、第一実施形態に係る理美容鋏１００の閉じた状態の右側面図である。図５は、第一実施形態に係る理美容鋏１００の閉じた状態の左側面図である。図６は、第一実施形態に係る理美容鋏１００の閉じた状態の底面図である。図７は、第一実施形態に係る理美容鋏１００の閉じた状態の背面図である。さらに図１３は、第一実施形態に係る理美容鋏１００の使用状態を示す図である。
【００１６】
第一実施形態に係る理美容鋏１００は、動刃である第一鋏体１０と、静刃である第二鋏体２０と、第一鋏体１０と第二鋏体２０とをＸ字状に交差させて回動自在に軸支する回転軸３０とを備えている。理美容鋏１００は、洋鋏型のステンレス製の鋏である。
【００１７】
第一鋏体１０は、細長い略板状部材であり、略中央部分に回転軸３０を挿通する軸穴と連通した軸穴が形成されている。第一鋏体１０の軸穴よりも刃先側には、内側に刃渡りを構成する刃線１２が位置する第一刃部１１が形成されている。さらに第一鋏体１０は、中空の筒体を軸穴と連通させて固定している。
【００１８】
第一鋏体１０の軸穴よりも手元側には、使い手が理美容鋏１００を使用する際に手に持つ部分となる第一柄部１５が形成されている。第一柄部１５は、軸穴の手元側で第一刃部１１よりも細く形成された第一アーム１６と、第一アーム１６の手元側に形成され、使い手の指（通常、親指）が挿入される第一指環１７とを備えている。
【００１９】
ここで、本実施形態では、細長い第一鋏体１０が、正面から見たときに略Ｕ字状となるように（図３参照）、第一アーム１６の部分において、１８０°湾曲した形状となっている。また、図２に示すように、上方から見たときには、第一刃部１１と第一柄部１５が略平行に延在するように、第一アーム１６において折り返されている。
【００２０】
従来の鋏は、回転軸において水平に延在する動刃と静刃が交差しており、平面図では、動刃及び静刃の刃部と柄部は回転軸を挟んでそれぞれ上下逆側に位置している。これに対して、回転軸３０を挟んで第一鋏体１０及び第二鋏体２０がＵ字状に湾曲した本実施形態においては、第一刃部１１と第一柄部１５は回転軸３０を挟んで同じ下側に位置し、第二刃部２１と第二柄部２５は回転軸３０を挟んで同じ上側に位置している（平面図である図２参照）。
【００２１】
第二鋏体２０は、第一鋏体１０と同じような構造をしており、略中央部分に軸穴２４が形成されている。第二鋏体２０は、軸穴２４よりも先端側に形成された、内側に刃線２１１が位置する第二刃部２１と、軸穴２４よりも手元側に形成された、第二アーム２６と第二指環２７とを備える第二柄部２５とを備えている。
【００２２】
第二指環２７には、通常、薬指が挿入される。第二指環２７の周囲には、使用時に小指を引っ掛けるための指掛け２７１が形成されている。第一鋏体１０と同様に、第二鋏体２０も第二アーム２６の部分において１８０°湾曲しており、正面から見たときに略Ｕ字状の形状をしている。
【００２３】
第一鋏体１０の軸穴と第二鋏体２０の軸穴２４とを貫通する回転軸３０は、締結力を調整可能なネジである。第一鋏体１０と第二鋏体２０は回転軸３０に対して固定されておらず、回転自在である。また、回転軸の先端は軸穴２４と固定している。さらにこの例では、回転軸をボルト状としてねじ山を切っており、回転軸の上部に蝶ねじ３５を螺合させて、筒体を押圧する。蝶ねじ３５の回転によって、筒体への押圧力、すなわち筒体と固定された第一鋏体と、回転軸に固定された第二鋏体との間の締結力を調整できる。
【００２４】
また、第一鋏体と第二鋏体との切断部分で刃先同士の間に隙間が生じると、ここに毛髪が入り込んでカットがしづらくなる。この状態を避けるために、第一鋏体と第二鋏体とを接触させる方向に付勢する構成を設けてもよい。例えば回転軸において、ここに螺合される蝶ねじと筒体との間にスプリングを介在させて、第一鋏体を第二鋏体側に押圧する。
【００２５】
なお、これとは逆に回転軸に締結力を調整可能な機構を設けず、単に回転自在に連結することで、回転軸を簡素化することもできる。このような例を変形例として図１４に示す。この例では、例えば回転軸３０の上端に径大の上端押さえ３１を形成し、回転軸３０の下端に径大の下端押さえ３２を形成して、回転軸３０を中心に第一鋏体１０と第二鋏体２０とを回転自在に連結しても良い。この構成によれば、回転軸３０の簡素化によって製造コストを削減できる利点が得られる。
【００２６】
以上、理美容鋏１００の構成について説明したが、理美容師等の使い手が使用する際には、使い手は、親指を第一鋏体１０の第一指環１７に挿入し、薬指を第二鋏体２０の第二指環２７に挿入すると共に、小指を指掛け２７１に掛けて、理美容鋏１００を保持する。
【００２７】
そして、薬指及び小指により静刃である第二鋏体２０を固定したまま、親指により動刃である第一鋏体１０を開閉することで、第一刃部１１の刃線１２と第二刃部２１の刃線２２との交点が移動し、交点部分において第一刃部１１と第二刃部２１とに挟まれた髪の毛が切断される。すなわち、刃線１２と刃線２２の交点が切断場所になる。
【００２８】
続いて、理美容鋏を用いて髪の毛をカットする際の作用について、図８及び図９を参照しながら説明する。図８は、従来の理美容鋏８００により髪の毛をカットする際の作用を説明するための上面模式図である。図９は、第一実施形態に係る理美容鋏１００により髪の毛をカットする際の作用を説明するための上面模式図である。
【００２９】
図８に示す従来の理美容鋏８００は、直線状に延在する動刃及び静刃がＸ字状の交差点（回転軸Ｍ）で回転自在に連結された構成である。図８では、図において上側には、開いた状態の理美容鋏８００を、下側には閉じた状態の理美容鋏８００を、それぞれ概略的に示し、図中、上下の指環の位置を左右方向で合わせて示している。
【００３０】
指環と回転軸Ｍとの距離（柄部の長さ）は一定であるため、同図に示すように、理美容鋏８００を閉じた状態では、開いた状態よりも回転軸Ｍが距離ｌ1だけ右側に位置している。すなわち、従来の理美容鋏８００では、鋏の開き角が小さくなるほど、指環を支持する使い手の手元と回転軸との距離は離れ、刃先に向かって移動することになる。
【００３１】
また、鋏の開き角を閉じるにしたがって、動刃の刃線と静刃の刃線の交点である切断箇所も刃先へ向かって移動する。このように、従来の理美容鋏８００では、鋏を閉じるにつれて、切断箇所が刃先に向かって大きく移動することになり、毛髪に対していわゆる押し切り状態となってしまう。
【００３２】
押し切り状態では、毛髪が刃面の間に押し込まれて詰まり易くなってしまい、実際に毛髪が理美容鋏に詰まると、毛髪自体が傷ついたり、作業が中断され復旧に時間がかかったりしてしまい、カットをしてもらっている人にとっても不快である。さらに、従来の構成の理美容鋏において引き切りを行う場合には、使い手は鋏を持つ手を大きく引きながらカットを行う必要がある。
【００３３】
一方図９に、第一実施形態に係る理美容鋏１００を示す。この図では、図において上側に、開いた状態の理美容鋏１００を、下側には閉じた状態の理美容鋏１００を、それぞれ概略的に示し、図中、上下の指環の位置を左右方向で合わせて示している。同図に示すように、理美容鋏１を閉じた状態では、開いた状態と比較して、回転軸３０が左側に距離ｌ2移動している。すなわち、第一実施形態に係る理美容鋏１００によれば、鋏を閉じる際に、回転軸３０が使い手の手元から離れる方向であって刃先からも離れる方向に移動することになる。
【００３４】
一方、上述したように、理美容鋏１００の開き角を閉じるにつれて、第一鋏体１０の刃線１２と第二鋏体２０の刃線２２との交点は切断対象物である毛髪に向かって移動することになる。しかし、本実施形態によれば、理美容鋏１００の開き角を閉じるにつれて、回転軸３０が毛髪から離れる方向に移動するため、刃線１２と刃線２２との交点の毛髪への移動は、この回転軸３０の移動により抑えられるか、又は打ち消されることになる。
【００３５】
このように、理美容鋏１００によれば、指環１７，２７が回転軸３０よりも刃部１１，２１と同じ側にあるため、従来の理美容鋏８００と比較して、鋏を閉じる際に切断場所（二つの鋏体の刃線の交点）が切断対象物に向けて移動するのを大きく抑えることができるか、切断対象物から離れる方向に移動することになる。
【００３６】
したがって、理美容鋏１００によれば、従来の理美容鋏８００のように普通に開閉するだけで押し切り状態となってしまうのを大きく抑えることができる。これにより、毛髪をカットする際の毛髪の詰まりを防止することができ、ドライカットを行う場合でも毛髪の損傷を最低限に抑えることができる。さらに、本実施形態によれば、いわゆる引き切りを行う際の使い手への負担を低減し、引き切りを容易に行うことが可能となる。
【００３７】
以上、本発明の第一実施形態について説明したが、本実施形態は、本発明の主旨を逸脱しない範囲内で種々の変形が可能である。例えば、理美容鋏１００を構成する各部材の形状、サイズ、材料等は適宜変更可能である。また、本実施形態では、第一鋏体１０及び第二鋏体２０をＵ字状に１８０°湾曲させているが、湾曲形状や角度も適宜変更可能である。
（第二実施形態）
【００３８】
さらに回転軸を中心として、第一刃部又は第二刃部との間の相対的な反りを調整するための傾斜角調整部材を付加することもできる。以下、このような傾斜角調整部材を付加した理美容鋏を、第二実施形態として図１５、図１０、図１１、図１２に示す。これらの図において、図１５は第二実施形態に係る理美容鋏２００の斜視図であり、図１０は第二実施形態に係る理美容鋏２００の傾斜角調整部材の部分を拡大して示す拡大正面図であり、また図１１は第二実施形態に係る理美容鋏２００の傾斜角調整部材の部分を拡大して示す拡大平面図である。なお、図１０では、見易いように各部材の間隔を実際よりも広げて示している。
【００３９】
第二実施形態に係る理美容鋏２００は、第一鋏体１０の第一刃部１１と第二鋏体２０の第二刃部２１との噛み合わせ関係を微調整するための傾斜角調整部材４０を備える。なお傾斜角調整部材４０の構成以外は上記第一実施形態に係る理美容鋏１００と同様の構成であるため、同様の部品には同じ番号を付し、説明を省略する。
【００４０】
理美容鋏の第一鋏体１０及び第二鋏体２０は、通常であれば略水平に延在し、それらの第一刃部１１と第二刃部２１とが略水平な位置関係で噛み合わせられているが、微妙な切れ味を調節するためには、第一刃部１１や第二刃部２１の反りを調整して両者のなす角を微調整する必要がある。傾斜角調整部材は、第一刃部１１と第二刃部２１との相対的な反りを調整するため、いずれか一方の反りの角度を調整する。
【００４１】
図１０及び図１１に示すように、傾斜角調整部材４０は、回転軸３０の周囲に設置されており、第一傾斜板４１、第一調整ネジ４３、第二傾斜板４６、第二調整ネジ４８を備えている。第一傾斜板４１は、第一鋏体１０の上側に隣接して設置され、第二傾斜板４６は、第二鋏体２０の下側に隣接して設置されている。
【００４２】
上から順に列んだ第一傾斜板４１、第一鋏体１０、第二鋏体２０及び第二傾斜板４６は、これらを上から下まで挿通する回転軸３０によって互いに密着するように軸支されており、第一傾斜板４１、第一鋏体１０、第二鋏体２０及び第二傾斜板４６は、全て回転軸３０に対して回動自在である。
【００４３】
図１０の例では、回転軸３０の先端は、第二傾斜板４６に固定されている。また第一傾斜板４１には中空の筒体が固定されており、筒体の中空部分が第一傾斜板４１の軸穴に連通されている。さらに筒体の上面においては、回転軸に螺合された蝶ねじ３５でもって、開口端を押圧している。
【００４４】
第一傾斜板４１及び第一調整ネジ４３は、第一刃部１１の延在方向（通常は略水平）からの傾斜角度（反り）を調整するための部材である。第一傾斜板４１は、第一鋏体１０と略同じ幅を有する短い板状部材であり、回転軸３０の近傍において第一鋏体１０上に重畳設置されている。
【００４５】
第一傾斜板４１には、回転軸３０が挿通するための軸穴と、軸穴よりも刃先側（図１０及び図１１において右側）に設置された、第一調整ネジ４３がねじ込まれるネジ穴が形成されている。
【００４６】
また、第一傾斜板４１は、軸穴よりも手元側に第一傾斜板４１を第一鋏体１０に対して一体に固定するための第一固定部４２を備えている。第一固定部４２により、第一鋏体１０と第一傾斜板４１は一体に固定されるため、両者は回転軸３０に対して一体となって回動する。
【００４７】
第一調整ネジ４３は、回転軸３０よりも刃先側に形成されたネジ穴を貫通して第一傾斜板４１の反対面から先端が飛び出すことが可能であり、第一調整ネジ４３のねじ送り量を調整することで、飛び出し量を調節することができる。回転軸３０よりも刃先側において第一傾斜板４１から飛び出した第一調整ネジ４３の先端は、第一刃部１１の上面に衝突し、さらにねじ送りをすると、第一傾斜板４１と第一刃部とが離れるように作用する。
【００４８】
このとき、第一傾斜板４１の上方への移動は回転軸３０の上端押さえ３１により阻止され、第一鋏体１０の筒体３４部分における下方への移動は第二鋏体２０及び第二傾斜板４６を挟んで回転軸３０の下端押さえ３２により阻止される。
【００４９】
このため、第一調整ネジ４３の先端に押された第一鋏体１０の第一刃部１１は、刃先側が水平状態から下方に傾斜するように僅かに動く。よって、第一調整ネジ４３のねじ送り量を調整することで、第一刃部１１の延在方向からの傾斜角度を微調整、すなわち第一刃部１１の反りを微調整することができる。
【００５０】
第二傾斜板４６及び第二調整ネジ４８は、第二刃部２１の延在方向（通常は略水平）からの傾斜角（反り）を調整するための部材である。第二傾斜板４６及び第二調整ネジ４８の構成及び作用は、上下が逆となるだけで、上述した第一傾斜板４１及び第一調整ネジ４３と同じであるため、詳細な説明は省略する。すなわち、第二調整ネジ４８のねじ送り量を調整することで、第二鋏体２０の延在方向からの傾斜角度を微調整、すなわち第二刃部２１の反りを微調整することができる。
【００５１】
また、第二傾斜板４６も第一傾斜板４１と同様に、軸穴よりも手元側に第二傾斜板４６を第二鋏体２０に対して一体に固定するための第二固定部４７を備えている。第二固定部４７により、第二鋏体２０と第二傾斜板４６は一体に固定されるため、両者は回転軸３０に対して一体となって回動する。
【００５２】
以上、詳細に説明した第二実施形態に係る理美容鋏２００は、上記第一実施形態に係る作用効果を奏すると共に、さらに、傾斜角調整部４０により、第一刃部１１の反りと第二刃部２１の反りとを独立して調整可能であり、第一刃部１１と第二刃部２１とのなす角度を微調整して噛み合わせを調整することで、理美容鋏の微妙な切れ味を調節することができる。
【００５３】
次に、第二実施形態に係る理美容鋏の変形例１について、図面を参照しながら説明する。図１２は、第二実施形態の変形例１に係る理美容鋏２００’の傾斜角調整部材の部分を拡大して示す拡大平面図である。
【００５４】
本変形例１に係る理美容鋏２００’は、上記第二実施形態における刃部１１，２１の延在方向からの傾斜角の調整に加えて、刃部１１，２１の延在方向を軸として、この軸周りのローリング角度、すなわち第一刃部１１及び第二刃部２１との間の相対的な捻りを微調整することができる。反りと捻りとは、交差する位置関係にある。
【００５５】
本変形例１に係る理美容鋏２００’の基本的な構成は、上記第二実施形態に係る理美容鋏２００と同じであり、傾斜角調整部材の構成のみが若干異なる。よって、同様の部品には同じ番号を付し、説明を省略する。
【００５６】
図１２に示すように、本変形例１に係る傾斜角調整部材４０’は、第一傾斜板４１、第一調整ネジ４３、第三調整ネジ４４、第二傾斜板、第二調整ネジ、第四調整ネジを備えている。なお、これら第二傾斜板、第二調整ネジ、第四調整ネジは、図１２の裏面側に位置する。この内、第二傾斜板と第二調整ネジは、図１０及び後述する図１６に示す第二傾斜板４６と第二調整ネジ４８とほぼ同様の形態で設けられている。
【００５７】
第三調整ネジ４４は、第一傾斜板４１の幅方向において回転軸３０の両脇に二つ設置されており、第一調整ネジ４３と同様に、第一傾斜板４１に形成されたネジ穴にねじ込まれて、反対面から先端が飛び出すことが可能である。そして、二つの第三調整ネジ４４のねじ送り量を微調整することで、第一刃部１１の両側への捻りを微調整することができる。
【００５８】
また第四調整ネジは、図１２で示す第一傾斜板４１上に形成された第三調整ネジ４４と同様に、裏面側に位置する第二傾斜板の幅方向において回転軸３０の両脇に二つ設置されている。この第四調整ネジも、第一調整ネジ４３と同様に、第二傾斜板に形成されたネジ穴にねじ込まれて、反対面から先端が飛び出すことが可能である。そして、二つの第四調整ネジのねじ送り量を微調整することで、第二刃部２１の両側への捻りを微調整することができる。
【００５９】
このように、本変形例１によれば、第一刃部１１及び第二刃部２１の反りの微調整だけではなく、捻りの微調整も可能となるため、より良好に理美容鋏の微妙な切れ味を調節することが可能となる。
【００６０】
また、第二実施形態においても、第一実施形態と同様、第一鋏体と第二鋏体とを接触させる方向に付勢する付勢構造を付加することもできる。このような例を変形例として図１６、図１７に示す。図１６に示す例では、筒体３４の上方において、回転軸３０に螺合された蝶ねじ３５と筒体３４の端縁との間にスプリング３６を介在させている。この例では、筒体３４は第一傾斜板４１と固定され、また回転軸の先端は第二傾斜板４６と固定されている。このため、スプリング３６に押圧された筒体３４を介して第一傾斜板４１が第二傾斜板４６との間隔を狭くするように付勢され、第一鋏体と第二鋏体とを接触させるように作用される。
【００６１】
また、この構成は一例であり、例えば図１７に示すように、スプリング３６を筒体の内部に収納するように構成することもできる。この例では、筒体の内径を、第一鋏体と第二鋏体の軸穴１４、２４よりも大きくしている。またスプリング３６の内径を、第一鋏体と第二鋏体の軸穴１４、２４よりも大きくし、かつ筒体の内径よりも狭くしている。これによってスプリング３６の先端で第一鋏体の軸穴１４の周囲を押圧でき、図１６と同様に第一鋏体と第二鋏体とを接触させるように付勢できる。
【００６２】
なお、本実施形態おいても、本発明の主旨を逸脱しない範囲内において、さらなる変形が可能であり、第一鋏体１０と第二鋏体２０の双方に傾斜角調整機構を設けるのではなく、どちらか一方にだけ設置したのでも良い。
【００６３】
例えば図１８に示す他の変形例に係る美理容鋏２００”のように、第一固定部に代えて、第一傾斜板４１の後端を第一刃部１１と固定し、第一調整ネジ４３のみでもって傾斜角度を調整できる。この例では、第一調整ネジ４３を進行させると第一刃部１１が押し下げられてその先端が降下する。逆に第一調整ネジ４３を後退させると、第一刃部１１が第一傾斜板４１と接近する応力が働き、第一刃部１１の先端が上昇する。あるいはまた、第一傾斜板や第二傾斜板も省略して、第一刃部、第二刃部に直接第一調整ネジを螺合したり、あるいは第一傾斜板や第二傾斜板を予め第一刃部、第二刃部にそれぞれ一体的に固定してもよい。加えて、回転軸３０を交換式として、経年劣化した回転軸を交換可能とすれば、理美容鋏を長期に渡って利用できる。
【００６４】
さらに第一指環、第二指環のいずれか、又は両方を着脱式としてもよい。例えば、使用者の指の太さに応じて適切な内径の第一指環、第二指環に交換可能としたり、材質を変更した第一指環、第二指環（例えば指の当たる部分をゴム製として滑り止め効果を高める）を利用可能とする等の利点が得られる。特にこれらの部分は頻繁に使用者が指を出し入れして摩耗することから、交換式とすることで利便性が高まる。
【００６５】
また、本実施形態では、刃部１１，２１の反りを微調整する反り調整機構を単体で設置した場合、反り調整機構と共に刃部１１，２１の捻りを微調整する捻り調整機構を合わせて設置した場合について説明したが、捻り調整機構のみを単体で設置するようにしても良い。また、本実施形態においても理美容鋏を構成する各部材の形状、サイズ、材料等は適宜変更可能である。例えば、以上説明した例においては、左用の刃を採用した理美容鋏について説明しているが、右用の刃を採用した理美容鋏に本発明を適用することも可能である。
（第三実施形態）
【００６６】
さらに第二柄部に、第二湾曲部を設けることもできる。図１９の平面図に、このような第三実施形態に係る美理容鋏３００を示す。この例では、第二柄部の一部に、湾曲させた第二湾曲部２５’を設けることで、この部分に指をかけて美理容鋏を把持し易くできる。特に図２０に示すように、右手で逆手、すなわち美理容鋏を開く側が手首側を向く姿勢で美理容鋏を持つ際に、薬指を第二指環２７に差し入れ、第二湾曲部２５’に中指をかけることで、安定して美理容鋏を把持できる。
【００６７】
一方、第一柄部も湾曲させることができる。図１９の例では、第一柄部を全体的に湾曲させた第一湾曲部１５’としている。このような形状とすることで、図２１に示すように順手、すなわち美理容鋏を開く側が指先側となる姿勢に美理容鋏を持ち替えた際に、中指を第一指環１７に差し入れ、第一湾曲部１５’に薬指をかけることで、安定して美理容鋏を把持できる。特に人の指は掌から湾曲して延びているため、第一柄部を直線状とするよりも湾曲させることで、自然と指を掛け易くなり、美理容鋏を安定的に把持できる。
【符号の説明】
【００６８】
１、２００、２００’、２００”、３００、８００…理美容鋏
１０…第一鋏体
１１…第一刃部
１２…刃線
１５…第一柄部；１５’…第一湾曲部
１６…第一アーム
１７…第一指環
２０…第二鋏体
２１…第二刃部
２２…刃線
２５…第二柄部；２５’…第二湾曲部
２６…第二アーム
２７…第二指環
３０…回転軸
３１…上端押さえ
３２…下端押さえ
３４…筒体
３５…蝶ねじ
３６…スプリング
４０、４０’…傾斜角調整部材
４１…第一傾斜板
４２…第一固定部
４３…第一調整ネジ
４４…第三調整ネジ
４６…第二傾斜板
４７…第二固定部
４８…第二調整ネジ
２７１…指掛け
【図１】
0005700234.tif 000002
【図２】
0005700234.tif 000003
【図３】
0005700234.tif 000004
【図４】
0005700234.tif 000005
【図５】
0005700234.tif 000006
【図６】
0005700234.tif 000007
【図７】
0005700234.tif 000008
【図８】
0005700234.tif 000009
【図９】
0005700234.tif 000010
【図１０】
0005700234.tif 000011
【図１１】
0005700234.tif 000012
【図１２】
0005700234.tif 000013
【図１３】
0005700234.tif 000014
【図１４】
0005700234.tif 000015
【図１５】
0005700234.tif 000016
【図１６】
0005700234.tif 000017
【図１７】
0005700234.tif 000018
【図１８】
0005700234.tif 000019
【図１９】
0005700234.tif 000020
【図２０】
0005700234.tif 000021
【図２１】
0005700234.tif 000022